(57)【特許請求の範囲】
【請求項１】
ホッパに載置した入金取引毎の紙幣を順次１枚ずつ分離繰出して金種判別／計数手段に送り、前記金種判別／計数手段で前記紙幣の金種判別を行うと共に枚数を計数し、前記金種判別／計数手段によって金種判別された前記紙幣を金種に応じてスタッカに収納させることによって入金処理する紙幣入金処理機であり、前記紙幣を前記スタッカに金種別に収納する際、前記紙幣を前記スタッカから一時的に隔離させるための一時保留部を有さない構成の紙幣入金処理機において、
紙幣を連続入金処理するものであって、
初回の入金取引を含まない２回目以降の入金取引中の障害発生を検知する障害検知手段と、前記障害検知手段で障害が検知されたことを報知するための報知手段と、前記報知手段で障害発生が報知されたときに、前記障害発生時の入金取引に係る紙幣と、当該入金取引以前に既に前記スタッカに収納されて入金処理が確定している紙幣とを、前記ホッパに再載置することにより、当該入金取引の分と、当該入金取引以前の入金取引であって入金処理が確定されている分との総計について、金種に応じて前記スタッカに収納すると共に、当該入金取引に係る入金額等のデータと、当該入金取引以前に係る入金額等のデータとの区分けを行う障害復旧処理部とを具備したことを特徴とする紙幣入金処理機。
【請求項２】
前面パネルに表示／操作部が設けられており、前記表示／操作部は前記報知手段の報知を目視で行うと共に、前記障害復旧処理部の動作指示及び処理過程の表示を行うようになっている請求項１に記載の紙幣入金処理機。
【請求項３】
前記スタッカに収納枚数を表示するスタッカＬＥＤが配設されており、前記障害復旧処理部が操作された際、前記スタッカＬＥＤの確定枚数表示を連続点灯表示から点滅表示に変えると共に、前記再載置紙幣の再計数に基づいて前記確定枚数を減算表示するようにした請求項１に記載の紙幣入金処理機。
【請求項４】
前記障害が検知されたとき、前記スタッカＬＥＤが点滅表示されているスタッカの収納紙幣、搬送通路の紙幣及び前記ホッパの残存紙幣をひとまとめにして前記ホッパに再載置するようになっている請求項３に記載の紙幣入金処理機。
【請求項５】
前記再計数に基づく前記スタッカＬＥＤの枚数表示が０を超え、加算表示された枚数を前記障害発生取引の紙幣枚数とするようになっている請求項４に記載の紙幣入金処理機。
【請求項６】
ホッパに載置した入金取引毎の紙幣を順次１枚ずつ分離繰出して金種判別／計数手段に送り、前記金種判別／計数手段で前記紙幣の金種判別を行うと共に枚数を計数し、前記金種判別／計数手段によって金種判別された前記紙幣を金種に応じてスタッカに収納させることによって入金処理する紙幣入金処理機であり、前記スタッカとは別にリジェクト用紙幣を集積するリジェクト用スタッカを備え、前記紙幣を前記スタッカに金種別に収納する際、前記紙幣を前記スタッカから一時的に隔離させるための一時保留部を有さない構成の紙幣入金処理機において、複数の入金取引を連続して処理する際、初回の入金取引を含まない２回目以降の入金取引について金種判別／計数処理終了後に当該取引をキャンセルした場合、前記金種判別／計数処理によって前記スタッカに収納された当該取引に係る紙幣と、当該入金取引以前に既に前記スタッカに収納されて入金処理が確定されている紙幣とを、前記ホッパにまとめて再載置することにより再金種判別／計数処理がなされ、当該入金取引以前の入金取引が確定されている分に相当する枚数までは前記スタッカに前記紙幣を収納させ、それ以降の紙幣は前記リジェクト用スタッカに放出させる制御を行う制御部を具備したことを特徴とする紙幣入金処理機。
【請求項７】
記憶手段及び表示／操作部が設けられており、前記入金処理が確定されている枚数を前記記憶手段に記憶させると共に前記表示／操作部に表示させ、前記再金種判別／計数処理のスタートを前記表示／操作部で指示するようになっている請求項６に記載の紙幣入金処理機。
【発明の詳細な説明】
【０００１】
【発明の属する技術分野】
本発明は、入金取引毎に紙幣の金種を判別すると共に、枚数を計数して金種毎にスタッカ（収納部）に収納する紙幣入金処理機に関するもので、特に収納前に紙幣を一時保留するための一時保留部を有さない簡易な構成でありながら、紙幣の詰まり（ジャム）等の障害が発生した場合にも、複数の取引に対する紙幣の入金処理を確実に行い得るようにすると共に、金種判別／計数処理が終了した取引についてキャンセル処理を合理的に行い得るようにした紙幣入金処理機に関するものである。
【０００２】
【従来の技術】
紙幣の入金処理機においては、通常紙幣の収納前に一時保留部に保留して後、取引の確定を確認してから収納部に収納するようになっている一時保留部の採用が主流となっている。このような一時保留部を有する紙幣入金処理機として、例えば本出願人による米国特許第4,747,492号に示される装置がある。この米国特許に示される装置は、紙幣を金種別に収納するためのスタッカ（Ｓ１〜Ｓ６）を備えており、これらスタッカ（Ｓ１〜Ｓ６）の上部にそれぞれ一時保留部（ＳＨ１〜ＳＨ６）を配置した構成となっている。
【０００３】
上記装置による複数の入金取引に対する連続処理は、以下のように行われる。
【０００４】
先ず初回取引分の入金紙幣をホッパに投入すると、ホッパより繰り出された紙幣が金種判別部で金種判別され、金種別スタッカ（Ｓ１〜Ｓ６）の上部に位置する一時保留部（ＳＨ１〜ＳＨ６）へ金種に応じて搬送される。そして、入金明細と本装置による処理結果とを照合し、照合が一致したときに入金確定ボタンを押すことにより、紙幣が一時保留部（ＳＨ１〜ＳＨ６）から解放されてスタッカ（Ｓ１〜Ｓ６）に順次収納される。２回目取引分以降の入金取引も上述と同様に処理され、例えば２回目取引分の入金取引の途中でジャム等の障害が発生しても、一時保留部（ＳＨ１〜ＳＨ６）に存在するのは２回目取引分の紙幣だけであるため、初回取引分の紙幣と混じり合うことがない。
【０００５】
このため、障害が発生した装置の障害復旧処理として、一時保留部（ＳＨ１〜ＳＨ６）に保留されている紙幣と、ホッパに残っている紙幣と、ジャムを起こした搬送通路上の紙幣とをまとめ、ホッパに投入して再処理すれば良い。
【０００６】
一方、装置の価格を安価にするため、一時保留部を有しない簡易構成の紙幣入金処理機も多数出現している。このような一時保留部を有しない紙幣入金処理機では、複数の入金取引を連続処理して、２回目取引分以降の処理途中でジャム等の障害が発生した場合には、その障害復旧処理は煩雑なものとなる。例えば初回取引分の入金取引は正常処理され、２回目取引分の入金取引の途中でジャム等の障害が発生したとすると、各スタッカでの紙幣収納状況は、確定した初回取引分の紙幣と未確定で処理途中の２回目取引分の紙幣とが混じり合ったものとなる。これを復旧処理するには、混じり合った紙幣をスタッカから全て取り出すと共に、ホッパに残っている紙幣とジャムを起こした搬送通路上の紙幣とをまとめ、オペレータ等の手作業により枚数を数え、確定している初回取引分の枚数分を区分けする必要がある。
【０００７】
このため、一時保留部を有しない紙幣入金処理機では、障害が発生した場合の装置の復旧作業が非常に煩雑なものとなってしまい、誤処理してしまう可能性もある。
【０００８】
【発明が解決しようとする課題】
上述したように紙幣入金処理機では、複数の入金取引を連続処理する上で障害が発生し、その復旧処理を迅速かつ正確に行うようにするには、一時保留部を設けることが有効である。しかしながら、一時保留部を設けることは、装置の機構が複雑になると共に、装置コストの上昇をもたらすという問題がある。
【０００９】
また、低価格化のために一時保留部を設けていない紙幣入金処理機では、ジャム等の障害が発生した場合の復旧処理が非常に煩雑になり、誤処理してしまう可能性もあるという問題がある。
【００１０】
本発明は上述のような事情に鑑みてなされたものであり、本発明の目的は、一時保留部を有さない簡易な構成として低価格化を図ると共に、ジャム等の障害が発生した場合でも、手作業による確定分の区分けを必要としない紙幣入金処理機を提供し、金種判別／計数処理が終了して既に収納部に紙幣が送られてしまっている取引については、キャンセル処理を合理的に行い得る紙幣入金処理機を提供することにある。
【００１１】
【課題を解決するための手段】
本発明は、ホッパに載置した入金取引毎の紙幣を順次１枚ずつ分離繰出して金種判別／計数手段に送り、前記金種判別／計数手段で前記紙幣の金種判別を行うと共に枚数を計数し、前記金種判別／計数手段によって金種判別された前記紙幣を金種に応じてスタッカに収納させることによって入金処理する紙幣入金処理機であり、前記紙幣を前記スタッカに金種別に収納する際、前記紙幣を前記スタッカから一時的に隔離させるための一時保留部を有さない構成の紙幣入金処理機に関し、本発明の上記目的は、紙幣を連続入金処理するものであって、初回の入金取引を含まない２回目以降の入金取引中の障害発生を検知する障害検知手段と、前記障害検知手段で障害が検知されたことを報知するための報知手段と、前記報知手段で障害発生が報知されたときに、前記障害発生時の入金取引に係る紙幣と、当該入金取引以前に既に前記スタッカに収納されて入金処理が確定している紙幣とを、前記ホッパに再載置することにより、当該入金取引の分と、当該入金取引以前の入金取引であって入金処理が確定されている分との総計について、金種に応じて前記スタッカに収納すると共に、当該入金取引に係る入金額等のデータと、当該入金取引以前に係る入金額等のデータとの区分けを行う障害復旧処理部とを設けることによって達成される。
【００１２】
また、本発明の上記目的は、複数の入金取引を連続して処理する際、初回の入金取引を含まない２回目以降の入金取引について金種判別／計数処理終了後に当該取引をキャンセルした場合、前記金種判別／計数処理によって前記スタッカに収納された当該取引に係る紙幣と、当該入金取引以前に既に前記スタッカに収納されて入金処理が確定されている紙幣とを、前記ホッパにまとめて再載置することにより再金種判別／計数処理がなされ、当該入金取引以前の入金取引が確定されている分に相当する枚数までは前記スタッカに前記紙幣を収納させ、それ以降の紙幣は前記リジェクト用スタッカに放出させる制御を行う制御部を設けることによって達成される。
【００１３】
【発明の実施の形態】
以下、本発明の紙幣入金処理機について、図面を参照して具体的に説明する。
【００１４】
図１は本発明の紙幣入金処理機１０の外観構成例を示しており、筐体状本体上部には、入金処理するための紙幣を載置するホッパ１１が設けられており、前面パネルには必要なデータを表示したり、処理等を指示入力するための表示／操作部２０が設けられている。また、本体下部には、金種判別された紙幣を金種毎に収納するためのスタッカ１２１〜１２７が区画されて設けられており、本体上部の端部にはリジェクト紙幣を放出して集積するためのリジェクト用スタッカ１３が設けられている。スタッカ１２１〜１２７に対応して、その上部にはそれぞれの収納枚数を表示するためのスタッカＬＥＤ１７１〜１７７が配設されており、スタッカＬＥＤ１７１〜１７７は連続点灯表示又は点滅表示されるようになっている。また、スタッカ１２１〜１２７は、収納紙幣を外部から手で取り出すことができる構造となっている。
【００１５】
図２は表示／操作部２０の詳細を示しており、時間やエラーコード等を表示する液晶表示部２１と、金種判別や計数のデータを表示するＬＥＤで成るＬＥＤ表示部２２と、数値データを入力するテンキー２３と、操作の指示を行う操作キー２４とで構成されており、操作キー２４には動作のスタート及び停止を指示する“ＳＴＡＲＴ／ＳＴＯＰ”キー２４１、データのクリアを指示する“ＣＬＥＡＲ”キー２４２、入力の受入れを指示する“ＡＣＣＥＰＴ”キー２４３等が含まれている。
【００１６】
また、図３は紙幣入金処理機１０の断面構造を側面より示しており、ホッパ１１とリジェクト用スタッカ１３との間の搬送通路１８には金種判別／計数手段３０が設けられており、リジェクト用スタッカ１３の搬送通路１８には、搬送紙幣を下部のスタッカ１２１〜１２７側の搬送通路１８Ａ又はリジェクト用スタッカ１３への搬送通路１８Ｂに振分けるための振分け板１４が設けられており、スタッカ１２１〜１２７の上部の搬送通路１８Ａには、各スタッカ１２１〜１２６に対応して紙幣を下方に放出して各スタッカ１２１〜１２６に振分けて集積するための振分け板１５１〜１５６が設置されている。スタッカ１２１〜１２７には、上部の搬送通路１８Ａから放出された紙幣を整列して集積するための羽根車１６１〜１６７が設けられており、搬送通路１８、１８Ａ、１８Ｂには紙幣の通過を光学的に検知するための各種センサが設置されている。
【００１７】
図４は紙幣入金処理機１０の内部構成を示しており、全体の制御を行うＣＰＵ等で成る制御部４０には記憶手段４１が接続され、表示／操作部２０及び金種判別／計数手段３０も制御部４０に接続されている。また、障害復旧処理部４２及び報知手段４３も制御部４０に接続されており、ジャム等の障害を検知する障害検知手段４４も接続されている。
【００１８】
障害検知手段４４は初回の入金取引を含まない２回目以降の入金取引中の障害発生を検知し、障害の発生を検知したときは制御部４０を介して報知手段４３を作動させる。報知手段４３はブザー（図示せず）を鳴らしたり、表示／操作部２０の液晶表示部２１及びＬＥＤ表示部２２にアラームを目視可能に表示したり、スタッカＬＥＤ１７１〜１７７の枚数表示を点滅させたりする。また、制御部４０は金種判別／計数手段３０を制御すると共に、金種判別及び計数の処理を行い、各種センサの制御及び信号処理を行い、更に振分け板１４及び１５１〜１５６、羽根車１６１〜１６７を制御するようになっている。記憶手段４１には、確定された取引の金種や枚数等のデータが記憶される。
【００１９】
このような構成において、その動作を図５のフローチャートを参照して説明する。
【００２０】
先ずホッパ１１に入金取引毎の紙幣をセット（載置）し（ステップＳ１）、表示／操作部２０の“ＳＴＡＲＴ／ＳＴＯＰ”キー２４１を押下すると（ステップＳ２）、ホッパ１１に載置された紙幣が１枚ずつ分離されて搬送通路１８に沿って内部に繰り出され、金種判別／計数手段３０に搬送されて金種判別と計数の処理がされる（ステップＳ３）。そして、計数と金種判別の処理が正常に終了すればその旨がＬＥＤ表示部２２に表示され（ステップＳ４）、オペレータがそれを見て表示／操作部２０の“ＡＣＣＥＰＴ”キー２４３を押下し（ステップＳ５）、これにより１取引目が終了となる（ステップＳ６）。オペレータは表示／操作部２０及びスタッカＬＥＤ１７１〜１７７の表示と、入金取引に関する明細伝票との照合によって、金種判別／計数処理が正常に行われたか否かの判断を行う。“ＡＣＣＥＰＴ”キー２４３の押下により金種判別／計数データが確定され、記憶手段４１に記憶される。
【００２１】
同様に、２取引目の紙幣をホッパ１１にセット（載置）する（ステップＳ１０）。この段階では、前回取引（１取引目）の入金処理紙幣がスタッカ１２１〜１２７に収納されたままである。そして、表示／操作部２０の“ＳＴＡＲＴ／ＳＴＯＰ”キー２４１を押下すると（ステップＳ１１）、ホッパ１１に載置された紙幣が金種判別／計数手段３０に搬送され金種判別と計数の処理がされる（ステップＳ１２）。次に、計数と金種判別の処理が正常か否かを明細伝票と照合することによって判定し（ステップＳ１３）、正常であれば２取引目を終了し（ステップＳ１４）、その後に全取引の終了か否かを判定し（ステップＳ１８）、終了でない場合は上記ステップＳ１０にリターンして上記動作を繰り返す。
【００２２】
なお、上記ステップＳ１３で計数と金種判別の処理が正常でないと判定された場合には、エラー復旧処理を行い（ステップＳ１５）、続いて障害復旧処理を行う（ステップＳ２０）。エラー復旧処理はスタッカ１２１〜１２７から紙幣を取り出し、表示／操作部２０の“ＣＬＥＡＲ”キー２４２を押下することによって行われる。その後、上述と同様な金種判別／計数処理を行い（ステップＳ１６）、金種判別／計数の正常の終了を待って上記ステップＳ１８に進む。
【００２３】
図６は障害復旧処理（ステップＳ２０）の詳細を示しており、スタッカＬＥＤ１７１〜１７７の確定枚数を点滅表示させ（ステップＳ２１）、障害発生時のスタッカ１２１〜１２７から紙幣を取り出してひとまとめにしてホッパ１１にセット（載置）する（ステップＳ２２）。そして、表示／操作部２０の“ＳＴＡＲＴ／ＳＴＯＰ”キー２４１を押下し（ステップＳ２３）、復旧のための金種判別／計数処理を行い（ステップＳ２４）、“ＡＣＣＥＰＴ”キー２４２を押下することにより、金種判別された紙幣が対応するスタッカに搬送される。このとき、該当スタッカの確定枚数を減算してスタッカＬＥＤ１７１〜１７７に表示する（ステップＳ２５）。その後、障害復旧処理の終了を確認して終了となる（ステップＳ２６）。
【００２４】
次に、具体的な障害復旧処理を、図７を参照して説明する。図７の縦軸は、紙幣枚数を示し、横軸は金種（１＄紙幣〜１００＄紙幣）を示している。本例では、紙幣入金処理機１０がＸ銀行のキャッシュボルト(現金センター)に設置されており、Ｘ銀行の支店Ａ〜Ｃから現金がキャッシュボルトに送られ、これら現金（紙幣）を連続入金処理する場合について説明する。ここでは、説明の都合上支店Ａ→Ｃの順に処理するようにしているが、処理の順番は任意である。
【００２５】
支店Ａからキャッシュボルトに送られて来る現金には、図８（Ａ）に示すような金種毎の明細が記載された明細伝票が添付されており、紙幣を紙幣入金処理機１０のホッパ１１に載置し、表示／操作部２０の“ＳＴＡＲＴ／ＳＴＯＰ”キー２４１を押下することで入金処理が開始される。ホッパ１１に載置された紙幣が全て金種毎のスタッカ１２１〜１２７に振分けられて、各スタッカ１２１〜１２７に配設されているスタッカＬＥＤ１７１〜１７７に計数（収納）された枚数が表示される。この表示枚数と明細伝票に記載されている明細とが全ての金種について合致していれば、“ＡＣＣＥＰＴ”キー２４３を押下して計数データを確定させる。確定された計数データは記憶手段４１に記憶される。これにより、初回の入金取引が終了する。
【００２６】
次に、図８（Ｂ）に示す明細の支店Ｂからの紙幣についても、２取引目として同様な入金処理を行い、最後に図８（Ｃ）に示す明細の支店Ｃからの紙幣についても、３取引目として同様な入金処理を行うが、本例では、３取引目の入金処理中に障害としてジャムが発生した場合の障害復旧処理を説明する。
【００２７】
ところで、支店Ｃからの入金紙幣は図８（Ｃ）の明細伝票に示すように、１＄紙幣２０枚、２＄紙幣３５枚、５＄紙幣５０枚、１０＄紙幣１０枚、２０＄紙幣４０枚、５０＄紙幣３０枚、１００＄紙幣５０枚の計２３５枚である。この紙幣２３５枚の入金処理中にジャムが発生したのであるから、この内の一部がスタッカ１２１〜１２７に収納され、残りはホッパ１１ないし搬送通路１８，１８Ａに取り残されていることになる。
【００２８】
ジャムが発生すると、それが障害検知手段４４としてのジャム検知センサで検知されて制御部４０に通知され、制御部４０はオペレータに障害発生を報知すべく報知手段４３としてのブザーを鳴らすと共に、液晶表示部２１にはエラーコードを、スタッカＬＥＤ１７１〜１７７には「ー ー ー ー」をそれぞれアラーム出力として表示する。
【００２９】
このようにしてオペレータに障害としてのジャム発生が報知され、オペレータによって表示／操作部２０の“ＣＬＥＡＲ”キー２４２が押下されると、先に入金確定した紙幣が存在するスタッカに対応するスタッカＬＥＤの確定枚数表示が、それまで連続点灯表示であったものが点滅表示に変わる。この表示切換は、制御部４０を介して行われる。本例においては支店Ａ及び支店Ｂの紙幣が入金確定しており、全ての金種のスタッカ１２１〜１２７に入金確定した紙幣が存在するので、全てのスタッカ１２１〜１２７のスタッカＬＥＤ１７１〜１７７が点滅表示となる。
【００３０】
具体的には、１＄紙幣のスタッカ１２１についてのスタッカＬＥＤ１７１は、１５枚(支店Ａの分)＋２０枚(支店Ｂの分)＝３５枚が点滅表示となり、２＄紙幣以降のスタッカ１２２〜１２７についても同様な手法で、２＄紙幣のスタッカＬＥＤ１７２は４５枚、５＄紙幣のスタッカＬＥＤ１７３は４０枚、１０＄紙幣のスタッカＬＥＤ１７４は４５枚、２０＄紙幣のスタッカＬＥＤ１７５は４０枚、５０＄紙幣のスタッカＬＥＤ１７６は４５枚、１００＄紙幣のスタッカＬＥＤ１７７は７０枚がそれぞれ点滅表示となる。ブザー音等により障害発生を知ったオペレータは、点滅表示しているスタッカ１２１〜１２７について収納されている全ての紙幣を取り出すと共に、ジャムで搬送通路１８、１８Ａに取り残されている紙幣を取り出し、更にホッパ１１に残存している紙幣をも取り出し、これらの紙幣をひとまとめにして再度ホッパ１１に載置する。その後、“ＳＴＡＲＴ／ＳＴＯＰ”キー２４１を押下することにより、障害復旧処理部４２による障害復旧処理が開始される。
【００３１】
障害復旧処理は以下のようにして行われる。
【００３２】
ホッパ１１に載置された紙幣は金種判別／計数手段３０によりその金種が判別されると共に枚数が計数され、金種に応じたスタッカ１２１〜１２７に搬送されて収納される。その際、スタッカＬＥＤ１７１〜１７７に点滅表示されている枚数から、紙幣がスタッカ１２１〜１２７に送られる度に減算されて表示される。例えば１＄紙幣については当初「３５枚」が点滅表示されており、１＄紙幣がスタッカ１２１に１枚送られた時点で１枚が減算されて「３４枚」の点滅となり、紙幣がスタッカ１２１に送られて収納される度に順次表示枚数が減って行き、支店Ａ及び支店Ｂの取引分が消化された時点でこの表示は「０」となる。そして、支店Ｃの分が到来すると、枚数は増加表示になると共に、連続点灯表示に変わり、最終的に１＄紙幣については「２０枚」の表示となる。
【００３３】
このようにして、障害が発生した入金取引のみの金種毎の明細がスタッカＬＥＤ１７１〜１７７に表示されることになる。なお、ＬＥＤ表示部２２には総数が表示される。つまり、手作業による選り分け無しで、障害が発生した入金取引についてのデータの区分けが実現できることになる。
【００３４】
次に、障害は発生しなかったが、支店Ｃの入金処理を行ったところ、装置が計数した枚数と入金明細に記載されている枚数とが合致しなかった場合の処理について説明する。合致しない理由の多くは、入金明細を作成した担当者の数え間違いにあると考えられる。合致しないのであるから、この支店Ｃの取引分の紙幣を分別してキャンセルし、支店Ｃに返却する必要がある。この支店Ｃの紙幣はスタッカ内で既に入金確定した支店Ａ及び支店Ｂの紙幣と混じり合っているが、これら全ての紙幣を抜き取って、“ＣＬＥＡＲ”キー２４２を押下した後にホッパ１１に載置する。
【００３５】
記憶手段４１は、入金確定済みの支店Ａ及び支店Ｂの紙幣の合算値を記憶しているので、この操作により、各金種毎に支店Ａ＋支店Ｂの枚数に到達するまでは紙幣をスタッカ１２１〜１２７に収納し、それ以降は振分け板１４を切換え、紙幣をリジェクト用スタッカ１３に放出する制御が行われる。このようにして、支店Ｃの分の紙幣を手作業なしで区分けすることができる。
【００３６】
上述では障害が発生した場合の例と、障害は発生せず当該取引をキャンセルする場合の例を説明したが、障害発生後の“ＣＬＥＡＲ”キー２４２の操作と、障害が発生しなかったときの“ＣＬＥＡＲ”キー２４２の操作とにおいて、操作内容は同一でもそれぞれに応じて制御の内容が異なっており、このことも本発明の特色の１つである。又、上述では紙幣の金種を７種類としているが、金種数は任意であり、金種数に応じてスタッカを設ければ良い。上述では障害として紙幣の搬送ジャムを例に挙げたが、判別ミスや計数ミス等の障害でも同様である。
【００３７】
【発明の効果】
上述のように本発明の紙幣入金処理機によれば、障害が発生した際、障害の発生をオペレータに報知し、オペレータが報知に基づいて全ての紙幣をホッパに再セットするだけで障害復旧処理を行うことができるので、作業に煩雑さがない。また、本発明の紙幣入金処理機は一時保留部を採用していないので、コストの上昇をもたらすことがない。更に、ある入金取引について計数処理が終了して、計数枚数と入金明細に記載された申告枚数との間に差異が見出された場合には、全ての紙幣をホッパに再セットするだけで、この入金取引分の紙幣をリジェクト用スタッカに放出することができるので、合理的なキャンセル処理を行い得る利点がある。
【図面の簡単な説明】
【図１】本発明に係る紙幣入金処理機の一例を示す外観構成図である。
【図２】表示／操作部の一例を示す図である。
【図３】本発明に係る紙幣入金処理機の一例を示す側断面構造図である。
【図４】本発明に係る紙幣入金処理機の内部構成例を示すブロック図である。
【図５】本発明の動作例を示すフローチャートである。
【図６】本発明による障害復旧処理の動作例を示すフローチャートである。
【図７】本発明による障害復旧処理を説明するための図である。
【図８】銀行の各支店から送られて来る現金の明細伝票の例を示す図である。
【符号の説明】
１０          紙幣入金処理機
１１          ホッパ
１３            リジェクト用スタッカ
２０           表示／操作部
２１           液晶表示部
２２           ＬＥＤ表示部
３０           金種判別／計数手段
４０           制御部
４１            記憶手段
４２           障害復旧処理部
４３           報知手段
４４           障害検知手段
１２１〜１２７  スタッカ
１７１〜１７７  スタッカＬＥＤ
【図１】
0003922425.tif 000002
【図２】
0003922425.tif 000003
【図３】
0003922425.tif 000004
【図４】
0003922425.tif 000005
【図５】
0003922425.tif 000006
【図６】
0003922425.tif 000007
【図７】
0003922425.tif 000008
【図８】
0003922425.tif 000009